(57)【要約】  ダクト（４）内のガス中における通常ゼロすなわち許容できるレベルより上の一過性微粒子の存在を検出するための装置および方法。前記装置は、ダクト（４）のほぼ全断面にわたって投影することができる赤外線、紫外線および可視光線から選択した照射用の少なくとも１つのエミッタ（２）と、微粒子からの照射の任意の閃光を検出するための少なくとも１つの検出器（８，１８，２５）とを備える。装置および方法は、例えば、病院および発電所のような微粒子の堆積または存在が望ましくないエリア内の微粒子を検出、監視する際に特に役に立つ。
2007507705.tif 000002
【特許請求の範囲】
【請求項１】
ダクト内におけるガス中の一過性微粒子の存在を検出するための装置であって、前記ダクトのほぼ全断面にわたって投影することができる赤外線、紫外線および可視光線から選択した照射用の少なくとも１つのエミッタと、前記微粒子からの照射の任意の閃光を検出するための少なくとも１つの検出器とを備える装置。
【請求項２】
照射のための前記エミッタが、単一のエミッタである請求項１に記載の装置。
【請求項３】
前記照射が、４６０ｎｍ〜６８０ｎｍの範囲内の波長を有する請求項１または２に記載の装置。
【請求項４】
前記エミッタがレーザである請求項１〜３の何れか１項に記載の装置。
【請求項５】
前記照射が、５３２ｎｍ〜６８０ｎｍの範囲内の波長を有する請求項４に記載の装置。
【請求項６】
前記検出器がカメラである請求項１〜５の何れか１項に記載の装置。
【請求項７】
前記検出器が、少なくとも１つのフォトトランジスタである請求項１〜５の何れか１項に記載の装置。
【請求項８】
前記検出器がビデオ・カメラである請求項１〜５の何れか１項に記載の装置。
【請求項９】
前記検出器が、前記照射エミッタの周囲に配置されている請求項１〜８の何れか１項に記載の装置。
【請求項１０】
前記エミッタからの照射がファン状に拡がっている請求項１〜９の何れか１項に記載の装置。
【請求項１１】
前記検出器が、ライン発生装置によりファン状に配置されている請求項１０に記載の装置。
【請求項１２】
前記照射が、光学レンズによりファン状に拡がっている請求項１０に記載の装置。
【請求項１３】
前記エミッタからの照射が走査される請求項１〜９の何れか１項に記載の装置。
【請求項１４】
前記エミッタからの照射が、ミラーにより前記ダクト内で走査され、その運動が、前記ダクト内の照射の方を向く請求項１３に記載の装置。
【請求項１５】
前記エミッタ照射周波数が、その周波数用の検出器と整合する請求項１〜１４の何れか１項に記載の装置。
【請求項１６】
照射用の前記エミッタおよび前記検出器が、前記ダクト壁部の外部に位置し、前記ダクト壁部が透明な窓を備えていて、そのため照射および閃光が透明な窓を通して前記ダクト壁部を透過する請求項１〜１５の何れか１項に記載の装置。
【請求項１７】
ダクトと、前記ダクトのほぼ全断面にわたって投影することができる照射用の少なくとも１つのエミッタと、前記微粒子からの照射の任意の閃光を検出するための少なくとも１つの検出器とを備える、請求項１〜１６の何れか１項に記載のダクト内で微粒子を検出するための装置。
【請求項１８】
産業プロセスへの入口の前記ダクト内に位置する請求項１７に記載の装置。
【請求項１９】
産業プロセスからの出口の前記ダクト内に位置する請求項１７に記載の装置。
【請求項２０】
前記装置が、前記入口内のガスの方向に関して、産業プロセスへの前記入口内のタービンの上流の前記ダクト内に位置する請求項１８に記載の装置。
【請求項２１】
前記装置が、前記出口内のガスの方向に関して、産業プロセスからの前記出口内のタービンの下流の前記ダクト内に位置する請求項１９に記載の装置。
【請求項２２】
ダクトを赤外線、紫外線および可視光線から選択した照射用の少なくとも１つのエミッタで照射するステップと、ダクトのほぼ全断面にわたって前記照射を投影するステップと、前記微粒子からの前記照射の任意の閃光を検出するステップとを含み、ダクト内におけるガス中の通常ゼロすなわち許容できるレベルより上の一過性微粒子の存在を検出するための方法。
【請求項２３】
前記ガスが低減システムを通過した後、特定のある位置における前記ダクト内で前記放射線を投影するステップを含む請求項２３に記載の方法。
【請求項２４】
産業プロセスへの前記入口で、ダクト内の一過性微粒子を検出するステップを含む請求項２３または２４に記載の方法。
【請求項２５】
産業プロセスからの前記出口で、ダクト内の一過性微粒子を検出するステップを含む請求項２３または２４に記載の方法。
【請求項２６】
前記出口内のガスの方向について、産業プロセスへの前記入口内のタービンの上流のダクト内の一過性微粒子を検出するステップを含む請求項２５に記載の方法。
【請求項２７】
前記出口内のガスの方向について、産業プロセスからの前記出口内のタービンの下流のダクト内の一過性微粒子を検出するステップを含む請求項２６に記載の方法。
【請求項２８】
前記産業プロセスが発電所である請求項２７に記載の方法。
【請求項２９】
前記低減システムが、本質的に微粒子を含んでいない環境を必要とするエリアへの前記入口内に位置する請求項２４に記載の方法。
【請求項３０】
本質的に微粒子を含んでいない環境が、病院内である請求項３０に記載の方法。
【発明の詳細な説明】
【技術分野】
【０００１】
本発明は微粒子の検出に関し、特に、微粒子の監視を含む検出のための装置および方法に関する。
【背景技術】
【０００２】
微粒子の存在は、多くの状況において、少なくとも厄介なものであり、最悪の場合には、破局をもたらすものであり、違法なものである。微粒子は不純物をその存在が望ましくない場所へと運ぶ恐れがある。そのような場所としては、工業プラントおよび空気の質の監視を含む環境等がある。それ故、例えば、電子構成要素の製造の際には、微粒子が存在すると、不純物が気が付かないうちに、例えばチップのような構成要素に混入して、構成要素を不良品にする恐れがある。無菌および微粒子を含まない状態にしたいエリア内においては、多くの試験方法が実行される。微粒子が存在すると、このような汚染エリアからの試験結果が価値のないものになる恐れがある。例えば、病院環境内においては、多くの病棟、特に手術室を多くの状況においてできるだけ無菌状態に維持するために、本質的に微粒子を含まない状態に維持する必要がある。例えば、発電所の場合には、タービン翼上の微粒子の堆積を低減するために、タービンへの入口内の微粒子を最小限度に維持しなければならない。このような微粒子の堆積は、通常、水をスプレーすることにより除去しなければならない。またはそうしないと、タービンの性能が低下し、最終的には、翼が破壊し、タービンが完全に破壊してしまう。いずれの場合でも、発電時間が短くなる。
【０００３】
関連するエリア内への空気等のガスの入口は、上記例の微粒子を含まない状態にしなければならない。しかし、エリアの出口から微粒子を放出してはならない。例えば、発電所、化学プラント処理を含む産業プロセスからの排気は、微粒子を大気中に放出してはならない。このような放出は環境的に許されるものではなく、微粒子の放出は承認された最大限度または法的制限内に維持しなければならない。
【０００４】
あるエリアに出入りする微粒子は、通常、多くの場合、あるエリアにガスを供給したり、あるエリアからガスを放出するダクト内に位置するある範囲の低減システム（ａｂａｔｅｍｅｎｔ  ｓｙｓｔｅｍ）を使用することにより、低減される。このような低減システムとしては、例えば、フィルタ、フィルタの組合わせ、電気集塵装置、湿式アレスタ（ｗｅｔ  ａｒｒｅｓｔｅｒ）などがある。低減システムを間違ってまたは誤って設置した場合、または時間の経過中に低減システムが劣化した場合には、低減システムを通過する微粒子を低減する際の低減システムの効率が低減する。通常は、許容できる低減システムの性能についての経験により決まる所与の期間が経過すると、低減システムの交換が行われる。しかし、また、この期間が経過する前に低減システムが使用不能となるような故障を起こす場合があり、フィルタ・システムを通して許容レベル以上の微粒子が進入する場合があることも分かっている。このことは、例えば、ガスの流れが非常に速い場合、または低減システムが一組のフィルタを備えていて、このうちの１つのフィルタが時を経ずして故障を起こすような場合に特に問題になる。
【０００５】
現在入手できる微粒子検出器は、ダクト内の非常に狭い領域またはエリア内の微粒子の存在を検出するだけである。このような検出器の場合には、導電性ロッドがダクト内に位置していて、帯電した微粒子がロッドの近くを通過したり、またはロッドに衝突した場合の電荷の増大により、検出するロッド内に電流を誘起する。このような検出器は、ダクトの非常に小さな容積上の微粒子を測定し、ロッドは、ダクト内のガスの流れに対して障害物としての働きをする。他の検出器の場合には、非常に細い鉛筆状の光のビームがダクトを横切って放射され、１つの横方向のダクト測定の際に不透明度が測定される。さらに他の検出器の場合には、非常に細いビームがダクト内に放射され、検出器の焦点が通常１５ｃｍであるビームの小さな部分に結ばれ、ビームのこの部分からの戻り反射が監視される。これらすべての検出器は、ダクトの非常に小さな断面エリア上の微粒子の存在のみを測定し、より広い断面上の微粒子の存在は、外挿により推定することができるだけであり、特に真の層流が存在する場合にそうなるわけではないダクトの断面エリアを横切って微粒子を均一に分布させる乱流が存在するという仮定に全面的に依存している。
【発明の開示】
【発明が解決しようとする課題】
【０００６】
それ故、ダクトの断面を横切るダクト内のガス内に浮遊する微粒子を検出するための装置および方法の開発が待望されている。一定の基準による微粒子の検出の場合も、その通常ゼロすなわち許容できる低いレベル上の一過性微粒子の存在を検出するために、ダクトを連続的にまたは一定の間隔で監視することになる。本発明の装置は、このような機能を提供する。これらのダクト内においては、微粒子の通常のレベルはほぼゼロである（すなわち、微粒子を含んでいない）か、または低減システムが効率的に作動している場合には、非常に低くまた許容することができるレベルである。本発明の装置は、断面の小さなサンプルが断面全体を表しているという仮定に基づいていない。
【０００７】
国際特許出願公開第０３／０１２３７５号に記載されている検出器のような他の検出器は周知のものである。この場合、ガス環境内の微粒子の高い濃度の定量測定が、好適には、配管内で、マイクロ波技術であることが好ましい技術により行われる。しかし、このような検出器および以下に説明する特許公報および特許明細書に開示されている検出器は、配管の選択した断面の一部をサンプリングするだけであり、そこからほぼ等質の微粒子濃度を推測する。それ故、このような検出器は、このようなほぼ等質の微粒子が存在しない場合には機能しない。さらに、このような検出器は、低いレベルの微粒子を監視しない。米国特許出願公開第２００２／０１０５６４５Ａ１号公報には、水またはオイル内の微粒子を監視するための装置が記載されている。しかし、この装置は配管内のいくつかの点しか測定できない。米国特許第６０５５０５２号明細書の装置は、粒子径は測定するが、配管内の空気内の微粒子の予想しなかった存在は測定しない。上記特許明細書の装置が解決した問題、これら特許明細書から集めた情報は、本発明の装置および方法により解決する問題とは全く異なるものである。
【課題を解決するための手段】
【０００８】
本発明は、ダクトのほぼ全断面にわたって放射することができる赤外線、紫外線および可視光線から選択した照射のための少なくとも１つのエミッタと、微粒子からの照射の任意の閃光を検出するための少なくとも１つの検出器とを備えるダクト内のガス内の一過性微粒子の存在を検出するための装置を提供する。
【０００９】
他の態様によれば、本発明は、ダクトと、ダクトのほぼ全断面にわたって投影することができる赤外線、紫外線および可視光線から選択した照射のための少なくとも１つのエミッタと、微粒子からの照射の任意の閃光を検出するための少なくとも１つの検出器とを備えるダクト内のガス内の一過性微粒子の存在を検出するための装置を提供する。
【００１０】
他の態様によれば、本発明は、ダクトを赤外線、紫外線および可視光線から選択した照射用の少なくとも１つのエミッタで照射するステップと、ダクトのほぼ全断面にわたって上記照射を投影するステップと、微粒子からの照射の任意の閃光を検出するステップを含むダクト内のガス内の微粒子を検出するための方法を提供する。
【００１１】
それ故、本発明の装置および方法は、できれば低減システムをガスが通過した後、例えば、タービン等のそれぞれの前後のような、特にそのプロセスの入口の上流または出口の下流において、産業プロセスの入口または出口内のガス内の一過性微粒子の存在を検出する際に役に立つ。
【００１２】
ダクトの断面についての「ほぼ全体」という用語は、配管の選択した断面部分のサンプリング、および微粒子濃度のほぼ等質性の仮定を必要としないように、ダクトの十分な断面が照射されることを意味する。それ故、本発明は、ダクトの全断面にわたる微粒子の存在の正確で実際の検出を行うことができる。「ほぼ全体」という用語は、好適には、ダクトの全断面を照射しなければならないことを意味するが、例えば、照射されない部分がダクトの断面の１０％以下であってもよい。
【００１３】
本明細書においては、「実質的な断面」という用語は、ダクトの断面の少なくとも１０％、好適には５０％、より好適には８０％、および最も好適には本質的に全断面がエミッタからの照射によりカバーされることを意味する。
【００１４】
本明細書においては、「微粒子」という用語は、微粒子の形をしている動物性、植物性または鉱物性物質を意味する。特にこの用語は、大気中に存在し、産業プロセスおよびエンジン内で発生する微細な微粒子物質を含む。本明細書においては、「ガス」という用語は、低減システムで使用する物質と化学的に反応しない任意のガス状物質、特に空気を意味する。
【００１５】
本発明の装置および方法は、対象とされる照射の微粒子からの閃光の検出に依存する。「閃光」という用語は、微粒子からの照射のきらめきまたは輝きを意味する。閃光はどの方向を向いていてもよい。何故なら、照射は微粒子から反射するからである。少なくともいくつかの閃光は、検出器の方向を向いている。ガスの流れの領域内においては、本発明の装置および方法は、ダクトのほぼ全断面にわたるガスの流れ内に浮遊する微粒子をより正確に測定することができる。フィルタの出口に近いガスがほぼ層状である場合には、好適には、本発明の装置を層流のエリア内に配置することが好ましい。このように配置することにより、フィルタの平面アレイ内の特定のフィルタ内の欠陥の位置をより正確に測定することができる。
【００１６】
本発明の装置は、ガスをある位置の方向に向け、ある位置から離れる方向に向ける入口ダクトまたは出口ダクト内に設置される。ダクトは、当業者であれば周知の任意の適当な材料から作ることができる。ダクト材料の例としては、コーティングしてもよいし（例えば、亜鉛メッキ）、コーティングしなくてもよい通常は鋼鉄である金属、ステンレス鋼、アルミニウム、例えば、硬質または柔軟な塩化ポリビニル、ポリプロピレン、ポリスチレンのようなプラスチック材料、低密度または高密度ポリエチレン、ＡＢＳ等がある。またダクト材料は、アコーディオンの形をしていてもよい。断面がエミッタおよび検出器を収容することができる場合には、ダクトは、例えば、矩形（例えば、正方形）、円形、楕円形のような任意の便利なまたは適当な断面を有することができ、任意の断面の大きさを有することができる。エミッタおよび／または検出器は、ダクトの断面内に設置することができる。しかし、ガスの処理量が非常に大きい場合には、好適には、エミッタまたは検出器が、ガスの処理量を低減しないように、エミッタまたは検出器の任意の部分がダクトまたは装置をずらしたり破損する危険を低減するために、エミッタおよび検出器をダクトの壁部内またはダクト壁部内の窓（照射を通す）に隣接して設置することが好ましい。
【００１７】
照射は、赤外線、紫外線および微粒子から閃光を発生することができる可視光線から選択される。好適には、照射は可視スペクトル内に位置するものであることが好ましい。
下記の他のエミッタよりコストが安い赤外線照射を使用することができ、一方、ダクトまたはガス内に存在する任意の水蒸気は、赤外線照射の少なくとも一部を吸収する。このような欠点は、例えば、水の赤外線スペクトル内の低い吸収エリア内に感度を有するＣＣＤカメラ（約６７５ｎｍのところに感度のピークを有する）のような検出器を使用することにより軽減することができる。しかし、照射輝度は比較的低く（これは検出器の感度を増大することにより補償することができる）、視準が悪く、波長がより長いために閃光の検出性能が制限される場合がある。
【００１８】
紫外線照射も使用することができるが、欠点は検出器のコストが比較的高いこと、および感度が比較的低いことである。
マイクロ波照射は適当な放射源ではない。何故なら、ダクト内の振動およびダクトへの外部の動きが振動を起こし、閃光の任意の検出を信頼できないものにするからである。また、市販のマイクロ波システムは、本発明が必要とする効果とは異なる効果である微粒子の検出のためにドップラー・シフトに依存している。ドップラー・シフトは、微粒子の速度を測定する。それ故、マイクロ波システムは小さな後方散乱または閃光を発生する。さらに、マイクロ波照射の波長は、個々の微粒子の通常の寸法と比較すると非常に長く、マイクロ波照射の全反射が、微粒子の雲から発生する。ビーム・サイズおよび方向は比較的容易に制御することができ、そのためダクトの有効範囲を適当に制御することができるが、多経路がマイクロ波の照射に関連する問題である。ダクトの材料の透明性も望ましくない信号を発生する場合がある。
【００１９】
可視スペクトル内での照射が望ましい。好適には、照射は４６０ｎｍ〜６８０ｎｍの波長を有することが好ましい。可視照射のエミッタとしては、例えば、フィラメント・ランプからのもの、発光ダイオードからのもの等があるが、このような光は、通常、適当な輝度を有していないか、または必要な平行ビームを有するビームを供給するように焦点を結ぶことができない。遥かに好適なエミッタはレーザである。レーザが微粒子から強力な閃光を発生すること、およびレーザ・デバイスの寿命が比較的長いことが分かっている。適当なレーザは、少なくとも１ｍＷの出力を有し、出力は、粒子径および装置の必要な感度を考慮して決定することができる。ある１つの周波数エミッタをその周波数に特定の検出器と整合させると、検出の際の信号対雑音比を改善することができ、そのため本発明の装置の感度が増大する。ダクトは、照射がダクトの対向側面から後方に反射しないように、エミッタに対向するダクトの側面上の照射、特にレーザからの照射を吸収するためにビーム・ダンプを備えることができる。エミッタでないものが放射した照射の任意の効果を低減するために帯域フィルタを使用することもできる。
【００２０】
エミッタは、全断面またはダクトの一つのみの軸線を横切って照射を投影するように配置することができる。エミッタは、例えば、連続的なまたはほぼ連続的なステップ運動でモータにより移動または回転することができる、レンズ、ミラーまたはプリズムにより走査を行うことができる。レーザからであることが好ましい照射は、ライン発生装置を使用することによりダクトを横切ってファン状に広がることができる。「ファン状の広がり」という用語は、照射した照射のビームが、調査対象のエリアを横切って拡がることを意味する。照射用の１つのエミッタを使用することが好ましいが、特に、ダクトの断面の幾何学的形状が不規則である場合、またはダクト構造が不規則である場合には、複数のエミッタを使用することもできる。
【００２１】
例えば、好適には円筒状のものであることが好ましい光学レンズによるエミッタからのビームのファン状の広がりにより、細いビームは、好適には約９０度であることが好ましい、任意の所望の内角を有するファンの形に変換される。このようにファン状に広げると、コストが安くなり、可動部品を使用する必要がなくなり、そのため設定や整合の手間が少なくてすむという利点があるが、ビームの大きな（および故意の）拡散によりエミッタからの距離が増大すると、照射の輝度が急速に低減し、電力が広い範囲に広がり、そのため任意の所与の検出器の感度を得るためのエミッタの出力が増大し、ファン全体内の閃光を監視するには二次元検出器が必要になる。
【００２２】
例えば、レンズまたはほぼ連続的に機械的に移動するミラーによるエミッタからのビームの機械的走査により、所望の走査角度を通してビームを掃引することができる。通常、ミラーはサーボ・ガルバノメータまたはステッパ・モータにより制御される。装置が機械的に丈夫でなければならない場合には、ステッパ・モータのほうが望ましい。ステッパ・モータのもう１つの利点は、任意の偽の信号をマスクするために、エミッタ・ビームの位置に関する情報を使用することができることである。このようなシステムの利点により、ビーム（任意の吸収を除く）の全長に沿って一定の輝度を高い輝度に維持することができる。すなわち、通常の拡散以外のビームの拡散が少なく、掃引角度および掃引速度のような走査パラメータを容易に制御することができることである。掃引の持続時間は、１秒から数分当たり数十回の掃引が行われる時間であってもよい。掃引時間が長くなると、小さな微粒子の痕跡を非常に高い感度で検出することができ、より高い信頼性と再現性で微粒子の測定を容易に行うことができるように、小さな閃光の検出を数秒間にわたって積分することができる。掃引速度をより速くすると、通常、低減システムが壊滅的な故障を起こした場合に、より迅速な対策を講じることができる。
【００２３】
検出器としては、微粒子からの照射の閃光を検出することができる任意の適当な検出器を使用することができる。適当な検出器としては、例えば、カメラ、フォトトランジスタ、およびピン・ダイオード等がある。適当なカメラは、０．００３〜１．０Ｌｕｘの範囲内の感度を有することができる。検出器は、例えば、フィルタが、カメラを照射の狭い波長を感知することができるようにするために、１つまたは複数の光学フィルタを備えることができ、および／または、近い閃光および遠い閃光の正規化を助けるために段階減光フィルタを使用することができる。好適には、１つの検出器またはフォトトランジスタを使用することが好ましいが、複数の検出器を使用することもできる。
【００２４】
エミッタと検出器との相対的位置決めは、最適化することができるが、使用する検出器のタイプにより異なる。例えば、好適には、カメラの視野をエミッタの方向のラインからずらすことにより、照射した面の二次元画像を入手することができる。しかし、ビームがダクトを横切って送られるように、検出器がエミッタに隣接して位置する場合には、検出した閃光は、戻り反射の閃光である（後方散乱）。しかし、微粒子に関する位置情報を決定することはできない。
【００２５】
それ故、本発明の装置および方法を使用した場合、微粒子が、例えば、レーザ光線を通過した場合、光の小さな閃光が後方に反射する。すなわち、閃光が検出器のうちの１つまたは複数により検出される。粒子径および反射率の違いにより（および光学系上の任意のゴミにより）各ゴミ粒子に対する閃光の振幅は異なるけれども、閃光の速度および持続時間を使用して微粒子の流れおよび微粒子の内容を決定することができる。それ故、閃光の速度および持続時間を記録することができ、閃光の振幅は微粒子の輝度の表示である。次に、ダクト内の微粒子の量を表示するために、閃光の速度および持続時間を、例えば総和により記録することができる。
【発明を実施するための最良の形態】
【００２６】
添付の図面および実施例を参照しながら本発明を説明する。
【実施例１】
【００２７】
図１は、波長５３２ｎｍ（グリーン）での出力が１．５Ｗ、ビーム幅が約２ｍｍのレーザであるエミッタ２から照射が行われる、本発明の装置の簡単な平面図である。ビームは、ビーム壁部へほぼ直角に一方の壁部からダクト４を横切る円筒状のレンズによりファン状に拡がる。ダクトの断面の５０％が照射される。対向壁部には、本質的に放射した光がその壁部から後方に反射しないように、その点で受光した照射を吸収するためのビーム・ダンプ６が設けられている。ダクト内の任意の微粒子からの閃光は、ダクトを横切って約４５度の角度で、その視野の中心を有する１２ｍｍのレンズを有する０．０８ＬｕｘのＣ／ＣＳマウントＣＣＤカメラ８により検出される。カメラは、視野の焦点を合わせるためのズーム・レンズ１０、またエミッタからの光による閃光だけを受け入れるための５３２ｎｍフィルタ１２、およびカメラ８からこれらの距離でカメラ８の近くで発生する閃光の正規化を助けるための段階減光フィルタ１４（英国ヨーク州所在のエドマンドオプティクス社のＣ４１〜９６０可変密度ビームスプリッタ）を備える。エミッタ２およびカメラは、両方とも、ダクト４の壁部の外側に位置しているために、照射および閃光は、透明な窓（図示せず）を通してダクト壁部を透過する。次に、カメラ８からの出力は、ラップトップ・コンピュータ１６により分析されるので、例えば、観察した長さに沿っての閃光の識別および定量、および時間の経過中のレベルでの増大等の、微粒子のレベルに関する必要なデータを計算および監視することができ、微粒子低減システムに関する任意の行動を必要に応じて実行することができる。
【実施例２】
【００２８】
図２は、ビームが、光学レンズにより、ダクトのほぼ全断面を横切ってファン状に拡がっている例１のレーザからの照射ビームの三次元の図面である。エミッタはダクトの隅に位置している。
【００２９】
この装置のもう１つの実施形態の場合には、レーザからのビームは、ダクトのほぼ全断面を横切ってステッパ・モータにより機械的に走査される。
【実施例３】
【００３０】
図３および図４は、後方散乱が、波長６８０ｎｍでの出力が３ｍＷのレーザ・エミッタからの照射により検出される本発明の装置の概略図である。この装置は、ガスの流れの方向に直角に装着される。レーザ・エミッタからの照射は、ダクトの断面の６０％が照射されるように、８０度の角度で１つの平面内でビームを拡散する（すなわち、ファン状に広げる）光学ライン発生装置によりファン状に拡がる。後方散乱は、エミッタ２の周囲に正方形に配置されている４つのフォトトランジスタ１８により検出される。次に、フォトトランジスタからの出力は、周囲光（変化する変化周囲光を含む）の任意の効果を最小限度に低減し、また通過する微粒子からの一過性の閃光だけが捕捉されるように、高利得ＡＣ結合増幅器２０および加算増幅器２２により増幅される。
【００３１】
本発明の装置のこの実施形態においては、ＰＣが増幅器から受信した情報を記憶し、次に照射エリアを横切る微粒子の濃度の図を作成するために、この情報の振幅の二乗平均平方根（ＲＭＳ）が計算される。表１内において多数のＲＭＳ計算の結果が、「Ａｌｐｈａ」（英国シェフィールド州所在のユニデータヨーロッパ社の商標である）の測定値と比較される（微粒子の二点間測定値を記録し、次に、上記レベルを全領域上で均一であると見なす単一経路光学粒子ビーム・モニタを備える確立されたシステム）。
【００３２】
【表１】
2007507705.tif 000003
結果は、この装置が、レーザ・ヘッドの検出可能な範囲内を通過する微粒子を感知できることを示す。大きなＲＭＳ測定値は、低いＡｌｐｈａ測定値、ＲＭＳ測定値を歪ませる傾向がある電気的および光学的雑音について、大きなＡｌｐｈａ測定値とよい対応を示す（試験６）が、より高度のエレクトロニクスは、同じ修正をする。しかし、本発明の好ましい実施形態の装置は、ダクトの実質的な部分上の微粒子をうまく検出し、監視する。
【実施例４】
【００３３】
図５は、本発明の装置で使用するための走査装置の略図である。この装置においては、レーザ２からの照射ビームは、ステッパ・モータ２８からのギヤボックス２６のシャフト上に位置するミラー２４に向けられる。次に、ミラー２４からの照射は、必要に応じて配置されている検出器により検出される。「ホーム検出器」２５は、位置の基準として使用することができ、ギヤボックス２６内の任意のバックラッシュの計算を助けるために使用することができる。
【００３４】
適当なステッパ・モータ２８のステップ角は１．８度（ハーフ・ステップ・モードでは０．９度）、ステップ角精度は５％、電圧は５Ｖ、定格電流は０．５Ａ／相である。適当なギヤボックス２６は、ダクトのほぼ全断面を走査する。適当なギヤボックスは、また、１００：１の比率（ステップ角：０．０１８度／０．００９度）を有する。このような走査装置は、丈夫であり、振動の影響を受けないし、また広い温度範囲で使用することができ、走査速度が遅いが、位置情報を反復使用することができ、保守が容易である。
【実施例５】
【００３５】
この実施例の場合、本発明の装置がタービンへのガス入口内のタービンの上流のダクト内に位置するガス・タービン発電所のフィルタ・ハウスの１つのガントリ内で一連の実験を行った。ガントリの長さは約１５ｍであり、幅は約１ｍであった。この装置を、ガントリ内のフィルタのアレイに隣接して設置した。
【００３６】
レーザ・エミッタが５３２ｎｍの波長で２００ｍＷ〜１．６Ｗの出力を有するという点を除けば、装置は図３および実施例３の装置とほぼ同じものであった。可変電力により、光学電力レベルの広い範囲内でシステムの性能を迅速に評価することができた。検出器は、３５ｍｍ〜７０ｍｍのズーム・レンズ、５３２ｎｍに同調している光帯域フィルタ、信号をデジタル・オシロスコープおよびデータを記憶するためのＰＣに送ることができるシグナル・コンディショナおよび増幅器を備えているフォトダイオードであった。図４は、使用した検出器システムの略図である。
【００３７】
種々のレーザ・パワー出力で試験を行った。微粒子を微粒子散布によりレーザ・エミッタ・ビームの監視位置に導入した後で、（すなわち、１つの周囲微粒子が存在する状態で）、背景信号を測定した。
【００３８】
図６ａおよび図６ｂは、背景微粒子（０．２２ｍｇ／ｍ３）の場合に、それぞれダクト内に微粒子を導入した（９．７４ｍｇ／ｍ３）後で、レーザ・パワーが１．６Ｗ、バイアスが５０μＡ、利得が２３の場合のオシロスコープの軌跡である。図７ａおよび図７ｂは、背景微粒子（０．２２ｍｇ／ｍ３）の場合に、それぞれ微粒子を導入した（１１．２ｍｇ／ｍ３）後で、レーザ・パワーが５００ｍＷ、バイアスが５μＡ、利得が４８の場合のオシロスコープの軌跡である。
【００３９】
図６ｂおよび図７ｂから、微粒子の存在が容易に検出されることがわかる。
【図面の簡単な説明】
【００４０】
【図１】本発明の装置の概略の配置。
【図２】本発明の装置の概略の配置。
【図３】本発明の装置の概略の配置。
【図４】本発明の装置で使用するための典型的な検出器システム。
【図５】典型的な走査配置。
【図６】（ａ）及び（ｂ）は図３の装置による微粒子からのオシロスコープのトレース。
【図７】（ａ）及び（ｂ）は図３の装置による微粒子からのオシロスコープのトレース。
【図１】
2007507705.tif 000004
【図２】
2007507705.tif 000005
【図３】
2007507705.tif 000006
【図４】
2007507705.tif 000007
【図５】
2007507705.tif 000008
【図６】
2007507705.tif 000009
【図７】
2007507705.tif 000010
【国際調査報告】
2007507705.tif 000011
2007507705.tif 000012
2007507705.tif 000013